(57)【要約】【課題】ユーザがオーディオビデオ信号源をオーディオビデオ切替システムへ接続する特定の接続口を記憶する必要がない上、リモコン装置を使用せずに自動的に出力信号を判定するオーディオビデオ信号自動切替システム及びその切替器を提供する。【解決手段】入力信号１０２，１０４，１０６，１０８を定時に走査し、入力信号１０２，１０４，１０６，１０８の中から最後の入力信号を出力信号１１４として選択する最後の信号選択機能ブロック１１０と、最後の入力信号が消失すると、入力信号１０２，１０４，１０６，１０８の入力インタフェースの順番に基づいて、対応する出力信号１１４を選択する順番切替機能ブロック１１２と、を備える。最後の信号選択機能ブロック１１０は、制御優先権が順番切替機能ブロック１１２よりも高い。【選択図】図１
2008035523.tif 000002
【特許請求の範囲】
【請求項１】
複数の入力信号を受信し、該入力信号に基づいて出力信号を選択するオーディオビデオ信号自動切替システムであって、
前記入力信号を定時に走査し、前記入力信号の中から最後の入力信号を出力信号として選択する最後の信号選択機能ブロックと、
前記最後の入力信号が消失すると、前記入力信号の入力インタフェースの順番に基づいて、対応する前記出力信号を選択する順番切替機能ブロックと、を備え、
前記最後の信号選択機能ブロックは、制御優先権が前記順番切替機能ブロックよりも高いことを特徴とするオーディオビデオ信号自動切替システム。
【請求項２】
前記順番切替機能ブロックは、前記入力信号の入力インタフェースの順番に基づいて、昇順選択方式で対応する前記出力信号を選択し、
前記順番切替機能ブロックは、前記入力信号の入力インタフェースの順番に基づいて、降順選択方式で対応する前記出力信号を選択することを特徴とする請求項１に記載のオーディオビデオ信号自動切替システム。
【請求項３】
複数の入力信号を受信し、該入力信号に基づいて出力装置まで出力する出力信号を選択するオーディオビデオ信号自動切替器であって、
少なくとも１つのＨＤＭＩの入力インタフェースと、
前記ＨＤＭＩの入力インタフェースから伝送された前記入力信号を受信して出力を選択する制御ユニットと、
前記制御ユニットが選択した前記出力信号を再生装置に出力するＨＤＭＩの出力インタフェースと、を備え、
前記制御ユニットは、前記入力信号を定時に走査し、前記入力信号の中から最後の入力信号を前記出力信号として選択する最後の信号選択機能ブロックと、
前記最後の入力信号が消失すると、前記入力信号の入力インタフェースの順番に基づいて、対応する前記出力信号を選択する順番切替機能ブロックと、を含み、
前記最後の信号選択機能ブロックは、制御優先権が前記順番切替機能ブロックよりも高いことを特徴とするオーディオビデオ信号自動切替器。
【請求項４】
前記順番切替機能ブロックは、前記入力信号の入力インタフェースの順番に基づいて、昇順選択方式で対応した前記出力信号を選択し、
前記順番切替機能ブロックは、前記入力信号の入力インタフェースの順番に基づいて、降順選択方式で対応した前記出力信号を選択することを特徴とする請求項３に記載のオーディオビデオ信号自動切替器。
【請求項５】
複数の入力信号を受信し、該入力信号に基づいて出力信号を選択するオーディオビデオ信号自動切替システムであって、
前記入力信号を定時に走査し、前記入力信号の中から最後の入力信号を前記出力信号として選択する最後の信号選択機能ブロックと、
前記入力信号の入力順序を記録するメモリブロックと、
前記最後の入力信号が消失すると、前記入力順序を利用し、前記入力信号に基づいて前記出力信号を選択するスイッチバック機能ブロックと、
前記入力信号の中の未出力信号が消失すると、前記入力信号の前記入力順序を更新するメモリリセット機能ブロックと、を備えることを特徴とするオーディオビデオ信号自動切替システム。
【請求項６】
前記スイッチバック機能ブロックは、前記最後の入力信号が消失すると、前記入力順序を利用し、前記入力信号の中から前記最後の入力信号の一つ前の入力信号を出力信号として選択し、
前記メモリリセット機能ブロックは、前記未出力信号が消失すると、残りの前記入力信号の前記入力順序を降順又は昇順に並べ、前記最後の信号選択機能ブロックが最高の制御優先権を有することを特徴とする請求項５に記載のオーディオビデオ信号自動切替システム。
【請求項７】
複数の入力信号を受信し、該入力信号に基づいて出力装置まで出力する出力信号を選択するオーディオビデオ信号自動切替器であって、
少なくとも１つのＨＤＭＩの入力インタフェースと、
前記ＨＤＭＩの入力インタフェースから伝送された前記入力信号を受信して出力を選択する制御ユニットと、
前記制御ユニットが選択した前記出力信号を再生装置に出力するＨＤＭＩの出力インタフェースと、を備え、
前記制御ユニットは、前記入力信号を定時に走査し、前記入力信号の中から最後の入力信号を前記出力信号として選択する最後の信号選択機能ブロックと、
前記入力信号の入力順序を記録するメモリブロックと、
前記最後の入力信号が消失すると、前記入力順序を利用し、前記入力信号に基づいて前記出力信号を選択するスイッチバック機能ブロックと、
前記入力信号の中の未出力信号が消失すると、前記入力信号の前記入力順序を更新するメモリリセット機能ブロックと、を含むことを特徴とするオーディオビデオ信号自動切替器。
【請求項８】
前記スイッチバック機能ブロックは、前記最後の入力信号が消失すると、前記入力順序を利用し、前記入力信号の中から前記最後の入力信号の一つ前の前記入力信号を前記出力信号として選択し、
前記メモリリセット機能ブロックは、前記未出力信号が消失すると、残りの前記入力信号の前記入力順序を降順又は昇順に並べ、前記最後の信号選択機能ブロックが最高の制御優先権を有することを特徴とする請求項７に記載のオーディオビデオ信号自動切替器。
【発明の詳細な説明】
【技術分野】
【０００１】
本発明は、オーディオビデオ信号切替システム及びその切替器に関し、特にオーディオビデオ信号自動切替システム及びその切替器に関する。
【背景技術】
【０００２】
科学技術の進歩に伴い、オーディオビデオ再生装置（例えば、液晶テレビ、プロジェクタなど）は、高画質、高音質の目標に向かって開発され、オーディオビデオ信号源（例えば、ＤＶＤプレーヤ、ゲーム機など）も機能上の変化に伴い多くなってきた。
【０００３】
オーディオビデオ再生装置を生産するメーカーは、１台のオーディオビデオ再生装置に複数の入力インタフェースを設け、一度に複数の異なる信号源が受信できるようにしていた。例えば、テレビは、リモコン装置で異なる入力信号を選択するだけで、異なる信号源が提供する情報を視聴することができた。しかし、これら入力インタフェースのほとんどは従来のアナログインタフェースであったため、現在、高画質、高音質の要求に応じるため、オーディオビデオデータのほとんどはデジタル信号に変換して伝達し、アナログ信号の減衰を低減させ、データの伝達速度を大幅に向上させていた。例えば、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）という１つの信号線を利用し、デジタル信号を高速で伝達させることのできるデジタルテレビの信号インタフェースというものがある。信号線を１つにすると、従来、オーディオ及びビデオに必要であった多くの信号線の数を減らし、デジタル信号を介して良好な画質と音質を提供することができた。
【０００４】
しかし、デジタルインターフェースは、データ伝送量が多く、その処理チップ、インタフェース材料及び研究開発のコストは従来のアナログインタフェースよりも多くかかった。コストの節減と、設計の利便性のために、市販されている表示装置の大部分は、１組だけのデジタルインターフェースによりデジタル信号を受信していた。オーディオビデオ信号切替システムを有する装置は、一度に複数のオーディオビデオ信号源を受信し、それから１つのオーディオビデオ信号を選択して出力し、再生装置へ提供して処理することができる。ただし、よく見かけるオーディオビデオ信号切替システムは、リモコン装置により出力する信号インタフェースを選択していたため、信号源を頻繁に切替えてオーディオビデオ信号源の各パラメータを制御する場合、多くのリモコン装置間で交互に使用しなければならず、ユーザは混乱することがあった。その上ユーザは、オーディオビデオ信号源が接続されるオーディオビデオ信号切替システムが対応する特定の接続口を記憶しなければならなかった。さもなければ特定の信号源を選択する際に、ランダム又は順番に一つ一つ選択しなければならず、時間が浪費されて使用上不便であった。
【０００５】
そのため、従来のオーディオビデオ信号切替システムを改良し、ユーザが視聴したいオーディオビデオ信号源を簡単に選択し、リモコン装置により選択したり、信号源を接続するオーディオビデオ信号切替システムが対応する特定の接続口の位置を記憶したりする必要がなく、切替システムの接続口へ思い通りにオーディオビデオ信号源を接続するだけで、その内容を視聴することのできるオーディオビデオ信号自動切替システム及びその切替器が望まれていた。
【発明の開示】
【発明が解決しようとする課題】
【０００６】
本発明の目的は、ユーザがリモコン装置で制御しなくとも視聴したいオーディオビデオ信号を選択することのできるオーディオビデオ信号自動切替システム及びその切替器を提供することにある。
本発明のもう一つの目的は、ユーザがオーディオビデオ信号源をオーディオビデオ切替システムへ接続する特定の接続口を記憶する必要のないオーディオビデオ信号自動切替システム及びその切替器を提供することにある。
【課題を解決するための手段】
【０００７】
（１）  複数の入力信号を受信し、該入力信号に基づいて出力信号を選択するオーディオビデオ信号自動切替システムであって、前記入力信号を定時に走査し、前記入力信号の中から最後の入力信号を出力信号として選択する最後の信号選択機能ブロックと、前記最後の入力信号が消失すると、前記入力信号の入力インタフェースの順番に基づいて、対応する前記出力信号を選択する順番切替機能ブロックと、を備え、前記最後の信号選択機能ブロックは、制御優先権が前記順番切替機能ブロックよりも高いことを特徴とするオーディオビデオ信号自動切替システムを提供する。
【０００８】
（２）  前記順番切替機能ブロックは、前記入力信号の入力インタフェースの順番に基づいて、昇順選択方式で対応する前記出力信号を選択し、前記順番切替機能ブロックは、前記入力信号の入力インタフェースの順番に基づいて、降順選択方式で対応する前記出力信号を選択することを特徴とする（１）に記載のオーディオビデオ信号自動切替システムを提供する。
【０００９】
（３）  複数の入力信号を受信し、該入力信号に基づいて出力装置まで出力する出力信号を選択するオーディオビデオ信号自動切替器であって、少なくとも１つのＨＤＭＩの入力インタフェースと、前記ＨＤＭＩの入力インタフェースから伝送された前記入力信号を受信して出力を選択する制御ユニットと、前記制御ユニットが選択した前記出力信号を再生装置に出力するＨＤＭＩの出力インタフェースと、を備え、前記制御ユニットは、前記入力信号を定時に走査し、前記入力信号の中から最後の入力信号を前記出力信号として選択する最後の信号選択機能ブロックと、前記最後の入力信号が消失すると、前記入力信号の入力インタフェースの順番に基づいて、対応する前記出力信号を選択する順番切替機能ブロックと、を含み、前記最後の信号選択機能ブロックは、制御優先権が前記順番切替機能ブロックよりも高いことを特徴とするオーディオビデオ信号自動切替器を提供する。
【００１０】
（４）  前記順番切替機能ブロックは、前記入力信号の入力インタフェースの順番に基づいて、昇順選択方式で対応した前記出力信号を選択し、前記順番切替機能ブロックは、前記入力信号の入力インタフェースの順番に基づいて、降順選択方式で対応した前記出力信号を選択することを特徴とする（３）に記載のオーディオビデオ信号自動切替器を提供する。
【００１１】
（５）  複数の入力信号を受信し、該入力信号に基づいて出力信号を選択するオーディオビデオ信号自動切替システムであって、前記入力信号を定時に走査し、前記入力信号の中から最後の入力信号を前記出力信号として選択する最後の信号選択機能ブロックと、前記入力信号の入力順序を記録するメモリブロックと、前記最後の入力信号が消失すると、前記入力順序を利用し、前記入力信号に基づいて前記出力信号を選択するスイッチバック機能ブロックと、前記入力信号の中の未出力信号が消失すると、前記入力信号の前記入力順序を更新するメモリリセット機能ブロックと、を備えることを特徴とするオーディオビデオ信号自動切替システムを提供する。
【００１２】
（６）  前記スイッチバック機能ブロックは、前記最後の入力信号が消失すると、前記入力順序を利用し、前記入力信号の中から前記最後の入力信号の一つ前の入力信号を出力信号として選択し、前記メモリリセット機能ブロックは、前記未出力信号が消失すると、残りの前記入力信号の前記入力順序を降順又は昇順に並べ、前記最後の信号選択機能ブロックが最高の制御優先権を有することを特徴とする（５）に記載のオーディオビデオ信号自動切替システムを提供する。
【００１３】
（７）  複数の入力信号を受信し、該入力信号に基づいて出力装置まで出力する出力信号を選択するオーディオビデオ信号自動切替器であって、少なくとも１つのＨＤＭＩの入力インタフェースと、前記ＨＤＭＩの入力インタフェースから伝送された前記入力信号を受信して出力を選択する制御ユニットと、前記制御ユニットが選択した前記出力信号を再生装置に出力するＨＤＭＩの出力インタフェースと、を備え、前記制御ユニットは、前記入力信号を定時に走査し、前記入力信号の中から最後の入力信号を前記出力信号として選択する最後の信号選択機能ブロックと、前記入力信号の入力順序を記録するメモリブロックと、前記最後の入力信号が消失すると、前記入力順序を利用し、前記入力信号に基づいて前記出力信号を選択するスイッチバック機能ブロックと、前記入力信号の中の未出力信号が消失すると、前記入力信号の前記入力順序を更新するメモリリセット機能ブロックと、を含むことを特徴とするオーディオビデオ信号自動切替器を提供する。
【００１４】
（８）  前記スイッチバック機能ブロックは、前記最後の入力信号が消失すると、前記入力順序を利用し、前記入力信号の中から前記最後の入力信号の一つ前の前記入力信号を前記出力信号として選択し、前記メモリリセット機能ブロックは、前記未出力信号が消失すると、残りの前記入力信号の前記入力順序を降順又は昇順に並べ、前記最後の信号選択機能ブロックが最高の制御優先権を有することを特徴とする（７）に記載のオーディオビデオ信号自動切替器を提供する。
【発明の効果】
【００１５】
本発明のオーディオビデオ信号自動切替システム及びその切替器は、ユーザがオーディオビデオ信号源をオーディオビデオ切替システムへ接続する特定の接続口を記憶する必要がない上、リモコン装置を使用せずに自動的に出力信号を判定するため、非常に便利で直感的に操作することができる。
【発明を実施するための最良の形態】
【００１６】
以下、本発明の実施形態について図面に基づいて説明する。
【００１７】
図１を参照する。図１は、本発明の一実施形態によるオーディオビデオ信号自動切替システムを示すブロック図である。オーディオビデオ信号自動切替システムは、最後の信号選択機能ブロック１１０及び順番切替機能ブロック１１２から主に構成される。オーディオビデオ信号自動切替システムは、一度に複数の入力信号１０２，１０４，１０６，１０８を受信し、入力信号１０２，１０４，１０６，１０８の入力順序に基づいて、出力信号１１４を選択する。
【００１８】
最後の信号選択機能ブロック１１０は、入力信号１０２，１０４，１０６，１０８を定時に走査し、入力信号１０２，１０４，１０６，１０８のうちから最後の入力信号を出力信号１１４として選択する。順番切替機能ブロックは、最後の入力信号が消失すると、入力信号の入力インタフェースの順序に基づいて、対応する出力信号を選択する。最後の信号選択機能ブロック１１０は、制御優先権が順番切替機能ブロック１１２よりも高いため、最後の入力信号が出力信号１１４として優先的に選択される。順番切替機能ブロック１１２は、入力信号の伝達インタフェースの順番に基づいて出力信号を決定するが、その判断基準は昇順方式又は降順方式でもよい。
【００１９】
上述のオーディオビデオ信号自動切替システムの効果をさらに詳細に説明するため、以下の実施形態では、上述のシステムを１つのオーディオビデオ信号自動切替器に応用し、オーディオビデオ信号自動切替システムを実際に運用する際の工程とその長所を説明する。
【００２０】
（第１実施形態）
図２を参照する。図２は、本発明の第１実施形態によるオーディオビデオ信号自動切替器を示す模式図である。
【００２１】
オーディオビデオ信号自動切替器２２２は、複数の入力信号を受信し、最後の入力信号を出力信号として用い、最後の入力信号が消失すると、入力信号の入力インタフェースの順番に基づいて出力信号を選択する。図２には、第１のオーディオビデオ信号源２０２、第２のオーディオビデオ信号源２０４、第３のオーディオビデオ信号源２０６、第４のオーディオビデオ信号源２０８、第１のＨＤＭＩの入力インタフェース２１０、第２のＨＤＭＩの入力インタフェース２１２、第３のＨＤＭＩの入力インタフェース２１４、第４のＨＤＭＩの入力インタフェース２１６、制御ユニット２１８、ＨＤＭＩの出力インタフェース２２０及び再生装置２２４が示されている。
【００２２】
制御ユニット２１８は、主に各ＨＤＭＩの入力インタフェース２１０，２１２，２１４，２１６が受信した入力信号を受信し、出力を選択する。制御ユニット２１８が選択した出力信号は、ＨＤＭＩの出力インタフェース２２０により再生装置２２４に出力される。制御ユニット２１８は、上述のオーディオビデオ信号自動切替システムを形成するハードウェアチップであり、各機能ブロックはすでに説明しているためここでは繰り返して述べない。
【００２３】
オーディオビデオ信号自動切替器２２２がオンされると、所定時間内で入力インタフェース２１０，２１２，２１４，２１６を走査し、信号が受信されたか否かを確定する。第１のオーディオビデオ信号源２０２のみがオンされると、信号が第１のＨＤＭＩの入力インタフェース２１０を介して制御ユニット２１８まで伝送される。１組の信号のみが受信され、それ以前にはその他の信号が走査されていないため、制御ユニット２１８の中の最後の信号選択機能ブロックは、第１のオーディオビデオ信号源２０２の第１の信号を出力信号と判断し、ＨＤＭＩの出力インタフェース２２０を介して再生装置２２４まで出力する。
【００２４】
４つのオーディオビデオ信号源２０２，２０４，２０６，２０８の全てがオンされ、第４のオーディオビデオ信号源２０８が最後の入力信号である場合、制御ユニット２１８の中の最後の信号選択機能ブロックは、第４のオーディオビデオ信号源２０８の第４の信号を出力信号と判断し、ＨＤＭＩの出力インタフェース２２０を介して再生装置２２４まで出力する。この時に第４のオーディオビデオ信号源２０８がオフ状態である場合、制御ユニット２１８の中の順番切替機能ブロックは、各入力インタフェースの２１０，２１２，２１４，２１６の順番に基づいて新たな出力信号を決定する。
【００２５】
第１実施形態において、順番切替機能ブロックが降順パターンに設定されている場合、第４のＨＤＭＩの入力インタフェース２１６の信号源が消失すると、第３のＨＤＭＩの入力インタフェース２１４の信号が出力信号となるように自動的に切替わる。第３のＨＤＭＩの入力インタフェース２１４にも信号がないときは、第２のＨＤＭＩの入力インタフェース２１２へ切替わって出力信号となる。その他の実施形態では、例えば昇順パターンの場合、第３のＨＤＭＩの入力インタフェース２１４の信号が消失すると、第４のＨＤＭＩの入力インタフェース２１６へ切替わって出力信号としてもよい。
【００２６】
当然、最後の信号選択機能ブロックは、制御優先権が順番切替機能ブロックよりも高く、最後の入力信号が優先的に出力信号に選択されてもよい。
【００２７】
オーディオビデオ信号自動切替システムは、最後の入力信号を出力信号にするが、最後の入力信号が消失した場合、入力インタフェースの順番だけが出力信号の選択方式とされるわけではない。
【００２８】
図３を参照する。図３は、オーディオビデオ信号自動切替システムを示すブロック図である。オーディオビデオ信号自動切替システムは、最後の信号選択機能ブロック３１０、メモリブロック３１４、スイッチバック機能ブロック（ｓｗｉｔｃｈ−ｂａｃｋ  ｆｕｎｃｔｉｏｎ  ｂｌｏｃｋ）３１２及びメモリリセット機能ブロック３１６から主に構成される。オーディオビデオ信号自動切替システムは、一度に複数の入力信号３０２，３０４，３０６，３０８を受信することができる。そして、入力信号３０２，３０４，３０６，３０８の入力順序に基づいて出力信号３１８が選択される。
【００２９】
最後の信号選択機能ブロック３１０は、入力信号３０２，３０４，３０６，３０８を定時に走査し、入力信号３０２，３０４，３０６，３０８の中の最後に入力された１つの信号を出力信号３１８として出力する。メモリブロック３１４は、入力信号３０２，３０４，３０６，３０８の入力順序を記録する。スイッチバック機能ブロックは、最後の１つの入力信号が消失すると、メモリブロック３１４の中の入力順序に基づいて出力信号３１８を改めて選択する。メモリリセット機能ブロック３１６は、その他未入力の入力信号の中の未出力の信号が消失すると、残りの入力信号の入力順序を改めて更新する。
【００３０】
スイッチバック機能ブロック３１２は、最後の１つの入力信号が消失すると、入力順序を利用し、入力信号３０２，３０４，３０６，３０８の中から最後の入力信号の一つ前の入力信号を出力信号３１８として選択する。メモリリセット機能ブロック３１６は、入力信号３０２，３０４，３０６，３０８の中の１つの未入力信号が消失すると、入力順序を降順又は昇順に並べ、１つの信号が消失することによりシステムが出力信号３１８を決定することのできない状況となることを防ぐ。
【００３１】
全体のシステムにおいて、最後の信号選択機能ブロック３１０は、最高の出力信号の選択優先権を有し、最後の信号選択機能ブロック３１０の機能により、ユーザが特定の信号源の内容を視聴したいときに、信号源をオンするか再びオンするだけで視聴することができる。これによりユーザは、直感的に操作して視聴したい信号内容を選択することができる。
【００３２】
図４を参照する。図４は、オーディオビデオ信号自動切替の工程を示すフローチャートである。図４を参照するとシステム全体の工程を理解することができる。ステップ４０２では、システムが定時に走査を行い、複数の入力信号を受信する。信号が受信されると、ステップ４０４において、最後の入力信号を選択して出力する。また、ステップ４０６において、全ての入力信号の入力順序を記憶する。ステップ４０８において、最後の入力信号が消失すると、利用前に記録した入力順序に基づいて、出力信号を改めて選択する。ステップ４１０において、入力信号の中の１つの未入力信号が消失すると、入力信号の入力順序を変更する。
【００３３】
ステップ４０８では、入力順序に基づいて出力信号を改めて選択し、消失した最後の入力信号の一つ前の入力信号を新たな出力信号と判断する。また、ステップ４１０において、残りの入力信号の入力順序を降順又は昇順に並べて変更し、消失した未出力信号の順番を補い、システムにエラーが発生することを防ぐ。
【００３４】
上述のオーディオビデオ信号自動切替システムの効果がより容易に理解できるように、以下の第２実施形態において実際に運用する際の工程とその長所を説明する。
【００３５】
（第２実施形態）
図５を参照する。図５は、本発明の第２実施形態によるオーディオビデオ信号自動切替器を示す模式図である。オーディオビデオ信号自動切替器５２２は、複数の入力信号を受信し、入力信号の入力順序に基づいて出力信号を選択する。図５には、第１のオーディオビデオ信号源５０２、第２のオーディオビデオ信号源５０４、第３のオーディオビデオ信号源５０６、第４のオーディオビデオ信号源５０８、第１のＨＤＭＩの入力インタフェース５１０、第２のＨＤＭＩの入力インタフェース５１２、第３のＨＤＭＩの入力インタフェース５１４、第４のＨＤＭＩの入力インタフェース５１６、制御ユニット５１８、ＨＤＭＩの出力インタフェース５２０及び再生装置５２４が示されている。
【００３６】
制御ユニット５１８は、主に各ＨＤＭＩの入力インタフェース５１０，５１２，５１４，５１６により受信された入力信号を受信し、出力を選択する。制御ユニット５１８が選択した出力信号は、ＨＤＭＩの出力インタフェース５２０により再生装置５２４まで出力される。制御ユニット５１８は、オーディオビデオ信号自動切替システムを構成するハードウェアチップであり、各機能ブロックについてはすでに説明しているためここでは繰り返して述べない。
【００３７】
オーディオビデオ信号自動切替器５２２がオンされると、固定時間内で入力インタフェース５１０，５１２，５１４，５１６の全てを走査し、信号を受信したか否かを確定する。第１のオーディオビデオ信号源５０２のみがオンされたときは、信号が第１のＨＤＭＩの入力インタフェース５１０を介して制御ユニット５１８まで伝送される。１組の信号のみを受信し、事前にその他の信号が走査されていないときは、制御ユニット５１８の中の最後の信号選択機能ブロックは、第１のオーディオビデオ信号源５０２の第１の信号を出力信号と判断し、ＨＤＭＩの出力インタフェース５２０を介して再生装置５２４まで出力する。メモリブロックは、第１の信号を１つ目の入力信号として記憶し、設定値を仮に１とする。
【００３８】
一定時間が経過した後、第２のオーディオビデオ信号源５０４がオンされ、オーディオビデオ信号自動切替器５２２は第２の信号を受信し、第１のオーディオビデオ信号源５０２も第１の信号を入力する。つまり、オーディオビデオ信号自動切替器５２２は、第１の信号及び第２の信号を入力する。ただし、最後の信号選択機能ブロックが第２の信号を最後の入力信号と認定するときは、第１の信号の出力を切断し、第２の信号を出力する。メモリブロックは、第２の信号を２つ目の入力信号として記憶し、設定値を仮に２とする。
【００３９】
一定時間が経過した後、第３のオーディオビデオ信号源５０６がオンされると、第３の信号が入力される。その後、同様に第３の信号を出力し、メモリブロックは、第３の信号を３つ目の入力信号として記憶し、設定値を仮に３とする。さらに一定時間が経過した後、第４のオーディオビデオ信号源５０８がオンされ、第４の信号を入力する。この際、第４の信号の出力に変更され、メモリブロックは、第４の信号を４つ目の入力信号として記憶し、設定値を仮に４とする。
【００４０】
これにより、メモリブロックの中には各信号の入力順序が保存される。第４のオーディオビデオ信号源５０８の電源がオフされ、第４の信号が消失すると、スイッチバック機能ブロックは入力順序を利用し、システムに予め設定された順番に基づいて、現在の入力順序が最も大きいものが３であるため、対応する信号である第３の信号（つまり、第４の信号の一つ前の入力信号）を探し出す。そのため、スイッチバック機能ブロックは、対応する第３の信号切替を出力信号とし、信号出力が無くなる状況となることを防ぐ。
【００４１】
４つのオーディオビデオ信号源５０２，５０４，５０６，５０８の全てがオン状態であるときに、第３のオーディオビデオ信号源５０６がオフ状態となり第３の信号が消失すると、メモリブロックの入力順序がメモリリセット機能ブロックにより修正される。メモリリセット機能ブロックが第３の信号の入力順序３を除去し、第１の信号及び第２の信号を昇順に並べると、第１の入力順序及び第２の入力順序の各々が２及び３に変更され、入力順序間で対応する信号がないために、システムに問題が発生することを防ぐことができる。
【００４２】
制御ユニット５１８の中の最後の信号選択機能ブロックは、最高の制御優先権を有しているため、ユーザが特定の信号源の内容を視聴する際は、信号源をオンするか改めてオンするだけで、その内容を視聴することができる。例えば、４つのオーディオビデオ信号源５０２，５０４，５０６，５０８の全てがオンされ、第４の入力信号が出力信号である状態で、ユーザが視聴したい内容を第３の信号に変更したいときは、第３のオーディオビデオ信号源５０６をオフした後に再びオンするだけで、制御ユニット５１８が第３の信号を出力信号に選択し、ユーザは視聴することができるようになる。
【００４３】
また、第４のオーディオビデオ信号源５０８の内容を再び見たくなったときは、第４のオーディオビデオ信号源５０８のスイッチを再びオンし、システム内の最後の信号選択機能ブロックが第４の信号を最後の入力信号として走査し、第４の信号を出力信号へ優先的に切替える。これによりユーザは、第４のオーディオビデオ信号源５０８の内容を視聴することができるようになる。
【００４４】
当然、異なる入力順序の配列に応じ、入力順序の更新を行うときは、昇順以外に降順又はその他の方法により並べ、入力順序の記録及び更新を行い、信号が突然消失した際にシステムに問題が発生することを防いでもよい。システム全体が最後の信号選択機能ブロックを最優先の出力信号制御ブロックとして利用し、ユーザが特定の信号源の内容を視聴する際に、特定の信号源をオン又は改めてオンするだけで、最後に入力した信号にして、その内容を視聴することができる。
【００４５】
本発明は、上述した複数の実施形態から分かるように、リモコン装置を利用せずに出力するオーディオビデオ信号を自動的に切替え、再生したい信号源を選択することができるため、リモコン装置が紛失する可能性を低減させることができる。ユーザは、視聴したいオーディオビデオ信号源をオンするだけで、簡単に表示装置で視聴することができる。また、多くの信号が同時に入力される時に、ユーザはそのうちの特定の信号を選択し、特定の信号源を再びオンするだけで、オーディオビデオ信号自動切替システムは、リモコン装置により切替えずに出力信号を自動的に判断することができる。そのためユーザは、わざわざ各信号源が対応する切替器の接続口を記憶する必要がなく、直感的かつ簡便に選択することができる。
【００４６】
当該分野の技術を熟知するものが理解できるように、本発明の好適な実施の形態を前述の通り開示したが、これらは決して本発明を限定するものではない。本発明の主旨と範囲を逸脱しない範囲内で各種の変更や修正を加えることができる。従って、本発明の特許請求の範囲は、このような変更や修正を含めて広く解釈されるべきである。
【図面の簡単な説明】
【００４７】
【図１】本発明の一実施形態によるオーディオビデオ信号自動切替システムを示すブロック図である。
【図２】本発明の第１実施形態によるオーディオビデオ信号自動切替器を示す模式図である。
【図３】本発明の第１実施形態によるオーディオビデオ信号自動切替システムを示すブロック図である。
【図４】図３のオーディオビデオ信号自動切替システムを示すフローチャートである。
【図５】本発明の第２実施形態によるオーディオビデオ信号自動切替器を示す模式図である。
【符号の説明】
【００４８】
１０２  入力信号
１０４  入力信号
１０６  入力信号
１０８  入力信号
１１０  最後の信号選択機能ブロック
１１２  順番切替機能ブロック
１１４  出力信号
２０２  第１のオーディオビデオ信号源
２０４  第２のオーディオビデオ信号源
２０６  第３のオーディオビデオ信号源
２０８  第４のオーディオビデオ信号源
２１０  第１のＨＤＭＩの入力インタフェース
２１２  第２のＨＤＭＩの入力インタフェース
２１４  第３のＨＤＭＩの入力インタフェース
２１６  第４のＨＤＭＩの入力インタフェース
２１８  制御ユニット
２２０  ＨＤＭＩの出力インタフェース
２２２  オーディオビデオ信号自動切替器
２２４  再生装置
３０２  入力信号
３０４  入力信号
３０６  入力信号
３０８  入力信号
３１０  最後の信号選択機能ブロック
３１２  スイッチバック機能ブロック
３１４  メモリブロック
３１６  メモリリセット機能ブロック
３１８  出力信号
５０２  第１のオーディオビデオ信号源
５０４  第２のオーディオビデオ信号源
５０６  第３のオーディオビデオ信号源
５０８  第４のオーディオビデオ信号源
５１０  第１のＨＤＭＩの入力インタフェース
５１２  第２のＨＤＭＩの入力インタフェース
５１４  第３のＨＤＭＩの入力インタフェース
５１６  第４のＨＤＭＩの入力インタフェース
５１８  制御ユニット
５２０  ＨＤＭＩの出力インタフェース
５２２  オーディオビデオ信号自動切替器
５２４  再生装置
【図１】
2008035523.tif 000003
【図２】
2008035523.tif 000004
【図３】
2008035523.tif 000005
【図４】
2008035523.tif 000006
【図５】
2008035523.tif 000007